(57)【要約】【課題】  地下水が上昇するような場所への配備も可能となる地下貯留槽を提供する。【解決手段】  地下貯留槽５は、貯留槽本体９と、導水部１０とを備える。導水部１０は、貯留槽本体９の側壁９ａに設けられ、貯留槽本体９の周囲の地下水を内部９ｃに導く。この導水部１０には、貯留槽本体９の周囲の地下水がその貯留槽本体９の内部９ｃに流入するのを許容するが、貯留槽本体９の内部９ｃの水が外部９ｄに流出するのを止める、弁１１が設けられている。こうして地下貯留槽５は、流入した地下水の分だけ重量が増加し、地下水の浮力による地下貯留槽５の浮き上がりが防止される。【選択図】  図２
2006002504.tif 000002
【特許請求の範囲】
【請求項１】
地中に埋設される地下貯留槽であって、
貯留槽本体と、その貯留槽本体の側壁または底壁に設けられてその貯留槽本体の周囲の地下水を内部に導く導水部とを備え、
前記導水部には、前記貯留槽本体の周囲の地下水がその貯留槽本体の内部に流入するのを許容するが、前記貯留槽本体の内部の水が外部に流出するのを止める、弁が設けられていることを特徴とする地下貯留槽。
【請求項２】
前記弁は、弁座と弁体とを備えて、前記弁座は、上側を向く座面を有し、前記弁体は、下側を向き前記座面に接触する接触面を有し、
前記弁体は、その弁体の上下の圧力差にその弁体の自重が加わって、開閉動作することを特徴とする請求項１に記載の地下貯留槽。
【請求項３】
前記弁には、その弁を通る地下水の流れを受けて前記弁体が回転する回転手段が設けられていることを特徴とする請求項２に記載の地下貯留槽。
【請求項４】
前記回転手段は、前記弁体に設けられて、前記地下水の流れの方向に対して傾斜する、溝または凸条からなることを特徴とする請求項３に記載の地下貯留槽。
【請求項５】
前記弁座の座面は、傾斜面からなり、
前記弁体は、前記傾斜面に設けられた流水孔を開閉するように、前記流水孔よりも上側に設けられたヒンジを中心として遥動することを特徴とする請求項２に記載の地下貯留槽。
【請求項６】
前記導水部は、前記地下水に含まれる砂泥等の不純物を沈殿させる沈殿室を有し、前記地下水は、前記沈殿室を通って前記弁側に進むことを特徴とする請求項１ないし５のいずれか１項に記載の地下貯留槽。
【請求項７】
前記沈殿室には、前記地下水を濾過するフィルターが設けられていることを特徴とする請求項６に記載の地下貯留槽。
【請求項８】
前記導水部の入り口部分には、前記地下水が通る複数の孔が明けられた多孔板が設けられていることを特徴とする請求項６または７に記載の地下貯留槽。
【請求項９】
前記貯留槽本体は、水収容空間を有するブロックが並べられて前記水収容空間どうしが連通するブロック群と、そのブロック群の少なくとも側面および底面を覆い、前記貯留槽本体の壁を形成する遮水シートとを備え、
前記導水部は、前記遮水シートを貫通するようにして設けられていることを特徴とする請求項１ないし８のいずれか１項に記載の地下貯留槽。
【発明の詳細な説明】
【技術分野】
【０００１】
この発明は、地中に埋設される地下貯留槽であって、特に、地下水による浮き上がりを防止した地下貯留槽に関するものである。
【背景技術】
【０００２】
従来、例えば、学校のグランド、公園等には、洪水対策とか利水等のために、地下貯留槽が埋設されることがあった。すなわち、大雨の際には、その雨水を地下貯留槽内に溜めておき、雨が治まった後に、溜められた雨水を、徐々に放流したり、農業用水等に利用したりしていた。
【発明の開示】
【発明が解決しようとする課題】
【０００３】
ところで、前記従来の地下貯留槽にあっては、地下貯留槽内が空であったり、内部の水が少なかった場合に、地下水が上昇すると、その地下水による浮力によって、地下貯留槽が浮き上がる虞があった。そのため、この地下貯留槽を、地下水が上昇するような虞のある場所に設置することはできなかった。
【０００４】
この発明は、上記した従来の欠点を解決するためになされたものであり、その目的とするところは、地下水が上昇するような場所への配備も可能となる地下貯留槽を提供することにある。
【課題を解決するための手段】
【０００５】
この発明に係る地下貯留槽は、前記目的を達成するために、次の構成からなる。すなわち、
請求項１に記載の発明に係る地下貯留槽は、地中に埋設される地下貯留槽であって、貯留槽本体と、その貯留槽本体の側壁または底壁に設けられてその貯留槽本体の周囲の地下水を内部に導く導水部とを備える。そして、前記導水部には、前記貯留槽本体の周囲の地下水がその貯留槽本体の内部に流入するのを許容するが、前記貯留槽本体の内部の水が外部に流出するのを止める、弁が設けられている。
【０００６】
これにより、この地下貯留槽が埋設された場所の地下水が上昇してきた場合には、その地下水は、導水部を通じて貯留槽本体の内部に流入する。こうして地下貯留槽は、流入した地下水の分だけ重量が増加するため、地下貯留槽に上昇した地下水によって浮力が作用しても、この地下貯留槽の浮き上がりは防止される。また、その後、地下水が下がった場合には、弁が作用するため、貯水槽本体の内部の水は、外部に流出することはない。したがって、この地下貯留槽に溜まった水を、利水に用いることが可能となる。
【０００７】
また、請求項２に記載の発明に係る地下貯留槽のように、請求項１に記載の地下貯留槽において、前記弁は、弁座と弁体とを備えて、前記弁座は、上側を向く座面を有し、前記弁体は、下側を向き前記座面に接触する接触面を有し、前記弁体は、その弁体の上下の圧力差にその弁体の自重が加わって、開閉動作するのが望ましい。この弁構造により、地下水の上昇量に応じて、その地下水が、貯留槽本体の内部に流入するため、その地下水は不必要に流入することなく、地下貯留槽の浮き上がりを効果的に防止することができる。そして、この弁は、弁体の自重を利用するものであり、弁の構造が簡単となり、また、この弁の故障を減らすことができる。
【０００８】
また、請求項３に記載の発明に係る地下貯留槽のように、請求項２に記載の地下貯留槽において、前記弁には、その弁を通る地下水の流れを受けて前記弁体が回転する回転手段が設けられてもよい。こうして、回転手段により、地下水が弁を通ると、弁体が回転するため、その弁体の接触面に、地下水に含まれるシルト分が付着するのを防ぐことができる。しかも、弁体が回転することで、地下水が攪拌されて、弁座の座面に前記シルト部が付着することも防ぐことができる。このように、弁体の接触面および弁座の座面へのシルト部の付着が防がれることから、この弁による開閉の機能を長期に渡って維持することができる。
【０００９】
また、請求項４に記載の発明に係る地下貯留槽のように、請求項３に記載の地下貯留槽において、前記回転手段は、前記弁体に設けられて、前記地下水の流れの方向に対して傾斜する、溝または凸条からなってもよい。すなわち、この溝または凸条が、地下水の流れを受けることで、弁体に回転力が作用し、その結果、弁体が回転する。
【００１０】
また、請求項５に記載の発明に係る地下貯留槽のように、請求項２に記載の地下貯留槽において、前記弁座の座面は、傾斜面からなり、前記弁体は、前記傾斜面に設けられた流水孔を開閉するように、前記流水孔よりも上側に設けられたヒンジを中心として遥動してもよい。このように、弁座の座面が傾斜面からなることで、この座面には、地下水に含まれるシルト分が付着しにくい。
【００１１】
また、請求項６に記載の発明に係る地下貯留槽のように、請求項１ないし５のいずれか１項に記載の地下貯留槽において、前記導水部は、前記地下水に含まれる砂泥等の不純物を沈殿させる沈殿室を有し、前記地下水は、前記沈殿室を通って前記弁側に進んでもよい。こうして、導水部に沈殿質を設けることで、貯留槽本体の内部に流入する地下水に含まれる不純物を取り除くことができる。
【００１２】
また、請求項７に記載の発明に係る地下貯留槽のように、請求項６に記載の地下貯留槽において、前記沈殿室には、前記地下水を濾過するフィルターが設けられてもよい。こうして、沈殿室に、フィルターを設けることで、貯留槽本体の内部に流入する地下水に含まれる不純物を一層取り除くことができる。
【００１３】
また、請求項８に記載の発明に係る地下貯留槽のように、請求項６または７に記載の地下貯留槽において、前記導水部の入り口部分には、前記地下水が通る複数の孔が明けられた多孔板が設けられていもよい。こうして、導水部の入り口部分に多孔板を設けることで、貯留槽本体の内部に流入する地下水に含まれる不純物をより一層取り除くことができる。
【００１４】
また、請求項９に記載の発明に係る地下貯留槽のように、請求項１ないし８のいずれか１項に記載の地下貯留槽において、前記貯留槽本体は、水収容空間を有するブロックが並べられて前記水収容空間どうしが連通するブロック群と、そのブロック群の少なくとも側面および底面を覆い、前記貯留槽本体の壁を形成する遮水シートとを備え、前記導水部は、前記遮水シートを貫通するようにして設けられてもよい。
【発明の効果】
【００１５】
この発明に係る地下貯留槽によれば、流入した地下水の重量により、この地下貯留槽の浮き上がりが防止されるため、この地下貯留槽は、地下水が上昇するような場所への配備も可能となる。
【発明を実施するための最良の形態】
【００１６】
以下、この発明に係る地下貯留槽を実施するための最良の形態を図面に基づいて説明する。
【００１７】
図１ないし図３は、本発明に係る地下貯留槽の第一の実施の形態を示す。図中符号１は、学校等のグランドとか公園等における地面である。２は、前記地面１下の地中である。３は、地中２における地下水の水位であって、特に、３ａは、通常地下水位、３ｂは、上昇地下水位を示す。４は、校舎とか施設等の建物である。５は、地中２に埋設される地下貯留槽である。６は、側溝である。７は、側溝６から雨水等の水を地下貯留槽５に導く流入管路である。８は、地下貯留槽５内の水を外部に導く放出管路である。
【００１８】
ここで、地下貯留槽５は、貯留槽本体９と、その貯留槽本体９の側壁９ａまたは底壁９ｂに設けられてその貯留槽本体９の周囲の地下水を内部９ｃに導く導水部１０とを備えている。そして、導水部１０には、貯留槽本体９の周囲の地下水がその貯留槽本体９の内部９ｃに流入するのを許容するが、貯留槽本体９の内部９ｃの水が外部９ｄに流出するのを止める、弁１１が設けられている。詳細には、この弁１１は、弁座１２と弁体１３とを備えている。弁座１２は、上側を向く座面１２ａを有し、そして、弁体１３は、下側を向き前記座面１２ａに接触する接触面１３ａを有している。こうして、弁体１３は、その弁体１３の上下の圧力差にその弁体１３の自重が加わって、開閉動作するようになっている。なお、図２において、止水状態の弁体１３を実線で示し、流入状態の弁体１３を二点鎖線で示している（後述する、図４、図７、図９においても同様である。）。
【００１９】
具体的には、貯留槽本体９は、例えば、コンクリート製であって、前記導水部１０は、貯留槽本体９の側壁９ａに設けられている。この導水部１０は、地下水の流路を形成する本体となる筒体１０ａと、多孔板１０ｂと、前記弁１１とから構成されている。筒体１０ａは、例えば、塩化ビニル管等の管材からなり、側壁９ａを貫通するとともに、貯留槽本体９の内部９ｃ側に延設されている。多孔板１０ｂは、導水部１０の入り口部分、つまりは、筒体１０ａにおける貯留槽本体９の外部９ｄ側となる端部部分を覆うように設けられている。そして、この多孔板１０ｂには、地下水が通る複数の孔１０ｃ、１０ｃが明けられている。
【００２０】
弁１１は、筒体１０ａにおける貯留槽本体９の内部９ｃ側に設けられている。この弁１１においては、弁座１２は、筒体１０ａを塞いで、下方ほど貯留槽本体９の内部９ｃ側に位置する傾斜板からなる。こうして、この弁座１２の座面１２ａは、上側を向く傾斜面からなる。そして、この傾斜面には、弁座１２を貫通するように、流水孔１２ｂが設けられている。一方、弁体１３は、平板状に形成されており、弁座１２よりも、貯留槽本体９の内部９ｃ側に位置している。そして、この弁体１３は、前記流水孔１２ｂを開閉するように、その流水孔１２ｂよりも上側に設けられたヒンジ１１ａ（蝶番）を中心として遥動するようになっている。こうして、弁体１３は、図２において、地下水の左から右への流れ（すなわち、貯留槽本体９の内部９ｃへの流入）を許容し、反対に右から左への流れ（すなわち、貯留槽本体９の外部９ｄへの流出）を止めるようになっている。また、弁体１３には、重り１３ｂが取り付けられており、その重り１３ｂを調整することで、地下水の水位３に対する貯留槽本体９の内部９ｃの水位が調整される。そして、この実施の形態においては、弁座１２の座面１２ａが傾斜面からなることで、この座面１２ａには、地下水に含まれるシルト分が付着しにくくなる。
【００２１】
ところで、導水部１０は、地下水に含まれる砂泥等の不純物を沈殿させる沈殿室１０ｄを有している。図示実施の形態においては、多孔板１０ｂと弁１１とが離れて配置されて、筒体１０ａ内における、これら多孔板１０ｂと弁１１との間が、前記沈殿室１０ｄとなっている。こうして、地下水は、沈殿室１０ｄを通って弁１１側に進むこととなる。そして、この沈殿室１０ｄには、地下水を濾過するフィルター１０ｅが設けられている。このフィルター１０ｅは、例えばネット等からなり、主に、地下水に含まれるシルト分を取り除くものである。なお、図中符号１４は、砕石であり、この砕石１４により、地下水を導水部１０の入り口に導いたり、多孔板１０ｂの目詰まりを防いだりする。
【００２２】
次に、第一の実施の形態に示す地下貯留槽５の作用効果について説明する。この地下貯留槽５によると、地下貯留槽５が埋設された場所の地下水が上昇してきた場合には、その地下水は、導水部１０を通じて貯留槽本体９の内部９ｃに流入する。こうして地下貯留槽５は、流入した地下水の分だけ重量が増加するため、地下貯留槽５に上昇した地下水によって浮力が作用しても、この地下貯留槽５の浮き上がりは防止される。そして、このように、流入した地下水の重量により、この地下貯留槽５の浮き上がりが防止されるため、この地下貯留槽５を、地下水が上昇するような場所へ配備することも可能となる。また、その後、地下水が下がった場合には、弁１１の作用により、貯水槽本体９の内部９ｃの水は、外部９ｄ（地中）に流出することはない。したがって、この地下貯留槽５に溜まった水を、農業用水等の利水に用いることが可能となる。
【００２３】
また、弁１１は、弁体１３の上下の圧力差（貯留槽本体９の内部９ｃと、外部９ｄの地下水との圧力差）に弁体１３の自重が加わって開閉動作する弁構造となっており、地下水の上昇量に応じて、その地下水は、貯留槽本体９の内部９ｄに流入する。そのため、貯留槽本体９の内部９ｃに地下水が不必要に流入することなく、地下貯留槽５の浮き上がりを効果的に防止することができる。したがって、この地下貯留槽５は、洪水対策用の、雨水とか川の水を一時的に溜める貯留槽に効果的に用いられる。また、このように、弁１１は、弁体１３の自重を利用するものであり、これにより、弁１１の構造が簡単となり、この弁１１の故障を減らすことができる。
【００２４】
そして、導水部１０の入り口部分に多孔板１０ｂを設けたり、導水部１０に沈殿質１０ｄを設けたり、また、その沈殿室１０ｄにフィルター１０ｅを設けることで、貯留槽本体９の内部９ｃに流入する地下水に含まれる不純物を取り除くことができる。
【００２５】
図４ないし図６は、本発明に係る地下貯留槽の第二の実施の形態を示す。この実施の形態においては、第一の実施の形態と同一の機能を有する部位には、同一の符号を付し、以下においては、第一の実施の形態と異なる部分を、主に説明する。
【００２６】
地下貯留槽５における貯留槽本体９は、水収容空間を有するブロック、例えば、合成樹脂製のブロック（図示省略）が並べられて、それら水収容空間どうしが連通するように組み立てられたブロック群を備えている。そして、貯留槽本体９は、そのブロック群の少なくとも側面および底面を覆い、貯留槽本体９の壁（少なくとも側壁９ａおよび底壁）を形成する遮水シート９ｅを備えている。そして、導水部１０は、遮水シート９ｅを貫通するようにして設けられている。また、この導水部１０に設けられる弁１１には、その弁１１を通る地下水の流れを受けて弁体１３が回転する回転手段１１ｂが設けられている。
【００２７】
詳細には、導水部１０は、貯留槽本体９の側壁９ａに設けられている。この導水部１０は、地下水の流路を形成する本体となる箱状の枠体１０ｆと、抑え板１０ｇと、多孔板１０ｂと、弁１１とから構成されている。枠体１０ｆは、例えば合成樹脂製であって、遮水シート９ｅからなる側壁９ａを貫通するとともに、貯留槽本体９の内部９ｃ側に延設されている。そして、枠体１０ｆは、側壁９ａを貫通する側となる先端部が開口し、その先端部とは反対側の延設された後端が、側板１０ｈによって塞がれている。そして、この枠体１０ｆには、遮水シート９ｅからなる側壁９ａを内側から抑える鍔部１０ｉが設けられている。この鍔部１０ｉには、側壁９ａ側において、鍔部１０ｉを一周する凹部１０ｊが形成されている。抑え板１０ｇは、側壁９ａを、その外側から抑えるものであり、鍔部１０ｉに対向するように環状に形成されている。この抑え板１０ｇには、側壁９ａ側に、前記凹部１０ｊと対抗するように、抑え板１０ｇ一周する凸部１０ｋが形成されている。そして、抑え板１０ｇと側壁９ａと鍔部１０ｉとを貫通するボルト２０ａにナット２０ｂがねじ込まれることで、抑え板１０ｇと鍔部１０ｉとで、側壁９ａを挟み込む。こうして、枠体１０ｆは、側壁１０ａに水密に固定される。もっとも、これら凹部１０ｊと凸部１０ｋとは逆転していてもよく、また、同心状に複数設けられてもよい。
【００２８】
そして、この枠体１０ｆにおいては、枠体１０ｆ内が、地下水に含まれる砂泥等の不純物を沈殿させる沈殿室１０ｄとなり、地下水は、この沈殿室１０ｄを通って弁１１側に進む。そして、沈殿室１０ｄには、地下水を濾過するフィルター１０ｅが設けられている。また、多孔板１０ｂは、導水部１０の入り口部分、つまりは、枠体１０ｆの開口部分を覆うように設けられている。
【００２９】
弁１１は、枠体１０ｆの上板１０ｍ部分に設けられている。この弁１１における弁座１２は、枠体１０ｆの内外に通じる通路Ｗを備えるように、上板１０ｍから筒状に突出して形成されている。そして、この弁座１２の上面が、上側を向く座面１２ａとなっている。弁体１３は、上部に位置する弁体本体１３ｃと、その弁体本体１３ｃの中央部分から下方に延設されて弁座１２内に挿通されるガイド部１３ｄとを備えている。ここにおいて、弁体本体１３ｃは、例えば円錐台形状をしており、その下面が、下側を向き前記座面１２ａに接触する接触面１３ａとなっている。こうして、弁体１３は、地下水の下から上への流れ（すなわち、貯留槽本体９の内部９ｃへの流入）を許容し、反対に上から下への流れ（すなわち、貯留槽本体９の外部９ｄへの流出）を止めるようになっている。
【００３０】
ガイド部１３ｄは、円柱状に形成されている。そして、このガイド部１３ｄの周面には、複数の凸条１３ｅ、１３ｅが形成され、それら凸条１３ｅ、１３ｅ間が、溝１３ｆ、１３ｆとなってぃる。ここで、弁体１３に設けられた、これら凸条１３ｅや溝１３ｆは、地下水の流れの方向（つまり、ガイド部１３ｄの延びる方向）に対して傾斜しており、前述の回転手段１１ｂとなってぃる。すなわち、この溝１３ｆまたは凸条１３ｅが、地下水の流れ（図示実施の形態においては、下から上に向かう流れ）を受けることで、弁体１３に回転力が作用して、その弁体１３は、回転する。
【００３１】
また、弁体１３は、その弁体１３が上方に抜け出ないように、ガイド部１３ｄの下方にストッパー片１３ｇ、１３ｇを備えている。詳細には、このストッパー片１３ｇは、上板１０ｍの内面と対向するように、ガイド部１３ｄよりも、側方に突出して形成されている。
【００３２】
第二の実施の実施の形態に示す地下貯留槽５の作用効果は、第一の実施の形態と同様であるが、さらに次に示す作用効果を有する。この地下貯留槽５によると、弁１１（詳細には、弁体１３）に設けられた回転手段１１ｂにより、地下水が弁１１を通ると、弁体１３が回転する。そのため、その弁体１３の接触面１３ａに、地下水に含まれるシルト分が付着するのを防ぐことができる。しかも、弁体１３が回転することで、地下水が攪拌されて、弁座１２の座面１２ａに前記シルト部が付着することも防ぐことができる。このように、弁体１３の接触面１３ａおよび弁座１２の座面１２ａへのシルト部の付着が防がれることから、この弁１１による開閉の機能を長期に渡って維持することができる。
【００３３】
なお、本発明は、上述した実施の形態に限定されるわけではなく、その他種々の変更が可能である。例えば、導水部１０は、貯留槽本体９の側壁９ａに設けられなくとも、図７および図８に示すように、貯留槽本体９の底壁９ｂに設けられてもよい。この実施の形態においては、貯留槽本体９は、コンクリート製であって、底壁９ｂの下側には、地下水を導水部１０まで導くための案内溝１５が設けられている。この案内溝１５は、地下貯留槽５が設置される基礎１６に設けられてもよく、また、貯留槽本体９の底壁９ｂに設けられてもよい。ここで、導水部１０は、底壁９ｂに明けられた、互いに連通する第１流路１０ｎと第２流路１０ｐとを備えている。第１流路１０ｎは、底壁９ｂの下面に開口し、第２流路１０ｐは、第１流路１０ｎよりも幅広であって、底壁９ｂの上面に開口している。そして、弁座１２は、前記第１流路１０ｎを形成するように、貯留槽本体９の底壁９ｂと一体となって設けられている。そして、この弁座１２の座面１２ａは、第２流路１０ｐの底面において第１流路１０ｎを囲むように設けられている。そして、この座面１２ａは、上側を向くが、内周側ほど下方に位置するように傾斜して形成されている。弁体１３は、第二の実施の形態における弁体１３と同様に、弁体本体１３ｃとガイド部１３ｄとを備えている。ただし、接触面１３ａは、下側を向くが、座面１２ａに対応して傾斜して形成されている。また、この弁体１３には、第二の実施の形態における弁体１３と異なり、ストッパー片１３ｇは設けられておらず、代わりに、第２流路１０ｐの上部に、弁体１３が上方に抜け出ないように止めるストッパー板１３ｈが設けられている。そして、このストッパー板１３ｈには、地下水が貯留槽本体９の内部９ｃに流れるように、通孔１３ｉが明けられている。
【００３４】
図９は、図７および図８に示す例と同様であるが、この実施の形態においては、弁体１３は、球形状となっている。
【００３５】
また、以上に示す、貯留槽本体９の構造とか、導水部１０の設けられる位置やその導水部１０の各構成を、本発明の趣旨を逸脱しない範囲で、適宜組み合わせることができるのは勿論である。
【００３６】
また、この地下貯留槽５は、雨水とか川の水、あるいはその他の水を溜めることができるものであればよく、その用途は、洪水対策用とか農業用水等の利水用に限るものではなく、どのような用途に用いられる貯留槽であってもよい。
【図面の簡単な説明】
【００３７】
【図１】この発明の第一の実施の形態の、全体の模式図である。
【図２】同じく、導水部を示す断面図である。
【図３】同じく、図２におけるＡ矢視図である。
【図４】この発明の第二の実施の形態の、導水部を示す断面図である。
【図５】同じく、図４におけるＢ−Ｂ線による端面図である。
【図６】同じく、図４におけるＣ−Ｃ線による断面図である。
【図７】この発明の他の実施の形態の、導水部を示す断面図である。
【図８】同じく、図７におけるＤ矢視図である。
【図９】この発明のさらに他の実施の形態の、導水部を示す断面図である。
【符号の説明】
【００３８】
２  地中
５  地下貯留槽
９  貯留槽本体
９ａ  側壁
９ｂ  底壁
９ｃ  内部
９ｄ  外部
９ｅ  遮水シート
１０  導水部
１０ｂ  多孔板
１０ｃ  孔
１０ｄ  沈殿室
１０ｅ  フィルター
１１  弁
１１ａ  ヒンジ
１１ｂ  回転手段
１２  弁座
１２ａ  座面
１２ｂ  流水孔
１３  弁体
１３ａ  接触面
１３ｅ  凸条
１３ｆ  溝
【図１】
2006002504.tif 000003
【図２】
2006002504.tif 000004
【図３】
2006002504.tif 000005
【図４】
2006002504.tif 000006
【図５】
2006002504.tif 000007
【図６】
2006002504.tif 000008
【図７】
2006002504.tif 000009
【図８】
2006002504.tif 000010
【図９】
2006002504.tif 000011